(57)【要約】【課題】  高電圧の電流を監視することなくマグネトロンで発生する異常動作を検知してマグネトロンの発振を停止する。【解決手段】  スイッチング素子４４を用いてマグネトロン３１に高周波電力を供給するインバータ回路４８と、該インバータ回路の一次電流を検出し、検出した一次電流に応じた電圧を出力する入力電流検出回路５２と、前記スイッチング素子を制御する制御回路５０と、を備えたマグネトロン駆動用電源であって、前記制御回路は、前記入力電流検出回路が出力した電圧値を基準電圧７４と比較して前記スイッチング素子を制御する比較手段７８と、基準電圧として用意されている複数の基準から一つの基準を切り替えて選択する基準電圧切替手段７１と、を有しており、前記マグネトロンが発振を開始した起動時から安定発振を開始する通常時へと移行する移行期間に前記基準電圧を切替える。【選択図】  図４
2014182904.tif 000002
【特許請求の範囲】
【請求項１】
スイッチング素子を用いてマグネトロンに高周波電力を供給するインバータ回路と、
該インバータ回路の一次電流を検出し、検出した一次電流に応じた電圧を出力する入力電流検出回路と、
前記スイッチング素子を制御する制御回路と、
を備えたマグネトロン駆動用電源であって、
前記制御回路は、前記入力電流検出回路が出力した電圧値を基準電圧と比較して前記スイッチング素子を制御する比較手段と、基準電圧として用意されている複数の基準から一つの基準を切り替えて選択する基準電圧切替手段と、を有しており、
前記マグネトロンが発振を開始した起動時から安定発振を開始する通常時へと移行する移行期間に前記基準電圧を切替えることを特徴とするマグネトロン駆動用電源。
【請求項２】
請求項１に記載のマグネトロン駆動用電源を備えたことを特徴とする高周波加熱装置。
【発明の詳細な説明】
【技術分野】
【０００１】
本発明は、マグネトロン駆動用電源、および、それを備えた高周波加熱装置に関する。
【背景技術】
【０００２】
特許文献１に示すように、マグネトロンの管内放電によって生じる異常動作からインバータ回路を保護するためにマグネトロンに流れる電流を検出して検出した電流が所定値を超えるとマグネトロンへ供給する電力を止めるマグネトロン駆動用電源がある。
【先行技術文献】
【特許文献】
【０００３】
【特許文献１】特開２０１１−１０３２６９号公報
【発明の概要】
【発明が解決しようとする課題】
【０００４】
上記背景技術において、高圧トランスの２次側に電流検出部を設けるため、絶縁距離の確保のためインバータ回路を搭載する基板が大きくなる課題がある。
【課題を解決するための手段】
【０００５】
本発明は、上記問題点を解決するためになされたものであり、スイッチング素子を用いてマグネトロンに高周波電力を供給するインバータ回路と、該インバータ回路の一次電流を検出し、検出した一次電流に応じた電圧を出力する入力電流検出回路と、前記スイッチング素子を制御する制御回路と、を備えたマグネトロン駆動用電源であって、前記制御回路は、前記入力電流検出回路が出力した電圧値を基準電圧と比較して前記スイッチング素子を制御する比較手段と、基準電圧として用意されている複数の基準から一つの基準を切り替えて選択する基準電圧切替手段と、を有しており、前記マグネトロンが発振を開始した起動時から安定発振を開始する通常時へと移行する移行期間に前記基準電圧を切替えるものである。
【発明の効果】
【０００６】
本発明によれば、高圧トランスの２次側の電流を監視することなく、マグネトロンでＡＫタッチ(管内放電)が発生したとき、確実にマグネトロンの発振を停止することができ、さらに高電圧が印可される２次側に電流検出部を設けないのでインバータ回路を載せる基板も必要以上に大きくなることは無い。
【図面の簡単な説明】
【０００７】
【図１】一実施例のマグネトロン駆動用の制御回路を搭載した高周派加熱装置の外観斜視図である。
【図２】図１のＡ−Ａ断面図である。
【図３】高周波加熱装置の制御を説明するブロック図。
【図４】本実施例のマグネトロン駆動用電源を説明する制御ブロック図。
【図５】制御ブロック図の主要部の電圧波形図。
【図６】マグネトロンのアノードに対するカソードの電圧波形。
【図７】基準電圧を切替えたときのＡＫタッチ発生時の波形。
【発明を実施するための形態】
【０００８】
以下、本発明の実施例を添付図面に従って説明する。
【０００９】
図１は本実施例のマグネトロン駆動用の制御回路を搭載した高周波加熱装置の外観斜視図、図２は図１のＡ−Ａ部の断面図、図３は高周波加熱装置の制御を説明するブロック図を示す。
【００１０】
図において、高周波加熱装置の本体１は、加熱室１７に加熱する食品を入れ、高周波波エネルギーやヒータの熱を使用して食品を加熱調理する。
【００１１】
ドア２は、加熱室１７の内部に食品を出し入れするために開閉するもので、ドア２を閉めることで加熱室１７を密閉状態にし、食品を加熱する時に使用する高周波の漏洩を防止し、ヒータの熱を封じ込め、効率良く加熱することを可能とする。
【００１２】
取っ手７は、ドア２に取り付けられ、ドア２の開閉を容易にするもので、手で握りやすい形状になっている。
【００１３】
ガラス窓４は、調理中の食品の状態が確認できるようにドア２に取り付けられ、ヒータ等の発熱による高温に耐えるガラスを使用している。
【００１４】
入力手段５は、ドア２の前面下側の操作パネル３に設けた表示部５ａと操作部５ｂからなり、操作部５ｂは、高周波加熱やヒータ加熱等の加熱手段や加熱の強さや加熱する時間等の調理条件を入力するためのもので、表示部５ａは、操作部５ｂから入力された内容や調理の進行状態を表示するものである。
【００１５】
排気口８は、部品を冷却した後の冷却風や食品を加熱した時に発生した蒸気を排出するところである。
【００１６】
機械室１８は、加熱室１７下部に設けられた空間で、空間内には、食品を加熱するためのマグネトロン３１、マグネトロン３１に接続された導波管２１、マグネトロン３１の電源を供給するマグネトロン駆動用電源３０が搭載されたインバータ基板、その他後述する各種部品、これらの各種部品を冷却する冷却手段６２等が取り付けられている。
【００１７】
加熱室１７の底面の略中央部は凹状に窪んでおり、その中に回転アンテナ１９が設置され、マグネトロン３１の発振により放射される高周波エネルギーは、導波管２１、回転アンテナ駆動手段２３の出力軸２３ａが貫通する結合穴２２を通して回転アンテナ１９の下面に流入し、該回転アンテナ１９で拡散されて加熱室１７内に放射される。回転アンテナ１９は、回転アンテナ駆動手段２３の出力軸２３ａに連結されている。
【００１８】
加熱室１７の後部には熱風ユニット１１が取り付けられ、熱風ユニット１１内には加熱室１７内の空気を効率良く循環させる熱風ファン１５と熱風ヒータ１４が取り付けられ、加熱室奥壁面には熱風の通り道となる孔が設けられている。
【００１９】
熱風ファン１５は、熱風ユニット１１の外側に取り付けられた熱風モータ１３の駆動により回転し、加熱室奥壁面に設けた孔を通して加熱室１７との間で空気を循環し、熱風ヒータ１４で循環する空気を加熱する。
【００２０】
加熱室１７の天面の裏側には、ヒータよりなるグリル加熱手段１２が取り付けられている。グリル加熱手段１２は、マイカ板にヒータ線を巻き付けて平面状に形成し、加熱室１７の天面裏側に押し付けて固定し、加熱室１７の天面を加熱して加熱室１７内の食品を輻射熱によって焼くものである。
【００２１】
温度検出手段１６は、各ヒータで加熱される加熱室１７の温度を検出するもので、検知手段としてサーミスター等が使用される。
【００２２】
テーブルプレート２０は、食品を載置するためのもので、ヒータ加熱と高周波加熱の両方に使用できるように耐熱性を有し、かつ、高周波の透過性が良く、衛生面でも問題がない磁器等の材料で成形されている。
【００２３】
つぎに、図３のブロック図について説明する。４１は交流電源で、本体１の制御部や各電気部品を動作させるものである。
【００２４】
６０はレンジ加熱手段で、食品を高周波エネルギーで加熱するマグネトロン３１とマグネトロン駆動用電源３０から構成し、主制御手段６によって入力手段５より入力された加熱の強さをパワー信号６ａに変換してマグネトロン駆動用電源３０の制御回路５０に送られる。
【００２５】
６１はオーブン加熱手段で、前述した熱風ユニット１１と熱風ユニット１１の外側に取り付けられた熱風モータ１３からなり、主制御手段６によって加熱室１７の温度が入力手段５から入力された温度になるように加熱室１７の温度を温度検出手段１６により検出し、熱風ヒータ１４の電力を調整する。
【００２６】
６２は冷却手段で、加熱動作時に自己発熱部品や発熱部品からの熱伝導によって熱的に不具合を発生する部品を冷却するもので、レンジ加熱手段６０が動作している時は、特にマグネトロン３１やマグネトロン駆動用電源３０を冷却するものである。
【００２７】
６は主制御手段で、入力手段５から入力された内容に従い、食品を加熱調理するように各加熱手段を動作させ、温度検出手段１６の検知温度に応じてオーブン加熱手段６１やグリル加熱手段１２のヒータの電力を調整するものである。
【００２８】
次に、マグネトロン３１とマグネトロン駆動用電源３０の動作について、図３〜図７を用いて説明する。
【００２９】
初めに、マグネトロン駆動用電源３０について説明する。
【００３０】
４１は交流電源で、商用電源から供給される交流の電源である。
【００３１】
４２は整流回路で、電源４１から供給された交流の電源を直流化するものである。
【００３２】
４３は電源平滑回路で、整流回路４２で整流された電源を平滑するものである。
【００３３】
４６は昇圧トランスで、一時側コイルに印加された電圧を昇圧して二次側コイルに高い電圧を誘起させるものである。
【００３４】
４４はスイッチング素子で、スイッチング素子４４は昇圧トランス４６の一次側コイルに流す電流を高周波（２０Ｋ〜４０ＫＨｚ）でＯＮ、ＯＦＦするものである。
【００３５】
４５は共振コンデンサで、共振コンデンサ４５と昇圧トランス４６の一次側コイルのインダクタンスによって、スイッチング素子４４がＯＮからＯＦＦした後も、昇圧トランス４６の一次側コイルに電流が交流的に流れ、昇圧トランス４６の二次側コイルに電圧を誘起する。そして、スイッチング素子４４のＯＮ、ＯＦＦする時間の比率を調整することで二次側に発生する電圧の高さを調節するもので、以上説明した電源平滑回路４３、スイッチング素子４４、共振コンデンサ４５、昇圧トランス４６によってインバータ回路４８を構成する。
【００３６】
４７は高圧回路で、昇圧トランス４６の二次側コイルに誘起した高周波電圧を倍電圧整流するものである。
【００３７】
３１はマグネトロンで、電気的構成としては、カソード（ヒータと兼用）３１ａとアノード３１ｂからなり、ヒータ３１ａに電流を流しヒータを発熱させ、ヒータが温まり、カソード３１ａとアノード３１ｂ間の電圧が発振電圧以上（約４ｋＶ）に達するとマグネトロン３１は発振を開始し、高周波エネルギーを放射して加熱室１７の食品を加熱するものである。
【００３８】
６ａはパワー信号で、主制御手段６によって操作部５ｂで入力された食品を加熱する強さをマグネトロン駆動用電源３０内の制御回路５０に伝え、マグネトロン３１の高周波出力を設定するための信号である。
【００３９】
５１は電源同期タイミング検出回路で、交流電源４１の電圧（図５（ａ）商用電源の１／２周期を表示）が周期的に変化し、電圧がゼロボルトになるタイミングを検出するためのものである。実施例では、図５の（ｂ）に示すように、交流電源４１の電圧が一定の範囲内の時にパルスとなって出力するように設定され、その出力されたパルスの中点がゼロと認識するように後述する制御手段５３は設定されている。但し、制御手段５３に電圧がゼロになったタイミングが検知できる、ゼロクロス検出手段を備えている場合は、電源同期タイミング検出回路５１に代わってゼロクロス検出手段を使用することも可能である。
【００４０】
５２は入力電流検出回路で、マグネトロン３１を動作している時に電源平滑回路４３に流れる電流を検出し、その電流値に応じた電圧を出力するものである。電流の測定は、抵抗５２ａの両端間に発生する電圧を測定し、抵抗５２ａの抵抗値から算出する。抵抗５２ａは、抵抗自身で余分な電力を消費しないように、小さな抵抗値の抵抗器を使用するので、抵抗５２ａの両端に発生する電圧も微小な値となるので、その電圧を増幅回路で増幅して制御手段５３に出力している。
【００４１】
そして、マグネトロン３１が発振している時の高周波出力と前記電圧との相関関係を事前に確認しておくことで、制御手段５３は入力電流検出回路５２の抵抗５２ａの両端に発生する電圧より、マグネトロン３１の発振している出力が主制御手段６からの要求に合致しているかどうかを認識できるようになっている。
【００４２】
さらに、入力電流検出回路５２からの検出値を複数回検出し、その値を平均化することでノイズなどの影響を少なくしている。
【００４３】
５３は制御手段で、制御手段５３は計時手段と記憶手段５３ａを要し、計時手段は、電源同期タイミング検出回路５１から送られてくるパルス信号のパルス幅を計時してパルス幅の中間を算出し、パルスとパルスの間隔の時間を測定して、接続されている電源４１の周波数を判定する。
【００４４】
記憶手段５３ａには、マグネトロン駆動用電源３０の出力が、マグネトロン３１が最大の高周波出力で発振できる電圧を出力するためのデータを記憶し、そのデータは、接続する交流電源４１の周波数によって異なり、日本国内で使用する場合は５０Ｈｚ用と６０Ｈｚ用の半サイクル分のデータを２種類記憶している。
【００４５】
記憶するデータは、交流電源４１の半サイクル分の複数個のパルスのＯＦＦ時間とＯＮ時間のデータで、その周波数は約１６ＫＨｚとなる。
【００４６】
そして、制御手段５３は、判定した周波数に対応したデータを記憶手段５３ａより呼び出し、次の平滑回路５４へと出力するデータ信号（ｃ）（図５（ｃ））を作成する。そのデータ信号（ｃ）は、呼び出した最初に出力するパルスのＯＦＦ時間とＯＮ時間のデータに基づいて、電源同期タイミング検出回路５１より入力されたパルスの中点（交流電源のゼロボルト点）より計時を開始し、最初のデータのＯＦＦ時間が経過した後にパルスをＯＮし、パルスのＯＮ時間を計時してＯＮする時間を経過したらパルスをＯＦＦする。次に二番目のパルスのＯＦＦ時間とＯＮ時間のデータに基づいて、ＯＦＦ時間の計時を開始する。以後三番目、四番目のデータに基づいてパルスの出力する動作を繰り返して半サイクル分のパルスを出力し終わったら、次の電源同期タイミング検出回路５１より入力されたパルスを待ち、パルスが入力されたら前記動作を繰り返して加熱続ける。
【００４７】
また、主制御手段６から送られてくるパワー信号６ａに対応したマグネトロン３１の発振する高周波出力になるように、入力電流検出回路５２からの検出値に応じて制御手段５３から出力するデータ信号（ｃ）のパルスのＯＮ、ＯＦＦする時間の比率を次のように変更する。
【００４８】
すなわち、変更は、要求のある高周波出力に対応した電流が流れるように、入力電流検出回路５２の検出した電流値が小さい場合はマグネトロン３１に印加する電圧を高くするようにデータ信号（ｃ）のＯＮ時間の比率を大きくして、マグネトロン３１が発振する高周波出力を大きくするように動作する。また、検出した電流が大きい場合はマグネトロン３１に印加する電圧を小さくするようにデータ信号のＯＮ時間の比率を小さくして、マグネトロン３１が発振する高周波出力を小さくするように動作するものである。
【００４９】
前記記憶手段５３ａに記憶するデータは、マグネトロン駆動用電源３０の出力が、マグネトロン３１が最大の高周波出力で発振できる電圧を出力するためのデータであり、また、マグネトロン３１を発振させた時に最大限に力率と効率を向上できる電源（図５（ｈ））を生成するためのデータである。
【００５０】
具体的には、力率と効率を向上するために交流電源４１の電圧が低い正弦波の裾野にあたる図５（ａ）のＡ部では、マグネトロン３１の通電率を高めるために、スイッチング素子４４のＯＮ時間を長くして昇圧トランス４６の二次側コイルの誘導電圧を早く上昇（維持）させ、マグネトロン３１のヒータ３１ａの温度を早く上昇させ、マグネトロン３１の発振開始を早くしている。また、電源効率を向上させるために、交流電源４１の電圧が低い正弦波の裾野にあたる図５（ａ）のＡ部から急激に電圧が上昇（図５（ａ）のＢ部）した後、電圧変動がなだらかになる頂点部分の図５（ａ）のＣ部では、必要以上の電圧がマグネトロン３１に加わらないように、頂点部分のＣ部の手前（電圧が急激に上昇しているＢ部の後半）からスイッチング素子４４のＯＮ時間を短くし始めマグネトロン３１に印加される電圧の上昇率を押え、頂点部分のＣ部では必要以上の電圧（マグネトロン３１に印加される印加電圧がマグネトロンの発振電圧（約４ｋＶ）を越すと急激に電流が流れる）が印加されないようにした。
【００５１】
高周波出力の変更は、基準データ信号の全パルスのＯＮ、ＯＦＦする時間の比率を同じ比率で変更することで、マグネトロン３１に印加される電源の力率と電源効率は低下することはない。
【００５２】
５４は平滑回路で、制御手段５３から出力されたデータ信号（ｃ）を平滑した信号（図５（ｄ）、信号ｇ）に変換するもので、データ信号（ｃ）のパルスのＯＮ時間の比率がＯＦＦ時間より短いほど平滑後の電圧値は低い値を示し、ＯＮ時間の比率がＯＦＦ時間より長いほど平滑後の電圧値は高い値を示す。
【００５３】
平滑回路５４は、データ信号（ｃ）の変化に対応して平滑した電圧値が変化できるように時定数を１ｍｓｅｃ以下になるように回路乗数を決定している。
【００５４】
５５はＯＮタイミング検出回路で、スイッチング素子４４がＯＮからＯＦＦした後にスイッチング素子４４に印加されている電圧がゼロになるのを検知して、次にスイッチング素子４４がＯＮする事が可能となるタイミングを出力（図５（ｄ）、信号ｆ）するものである。
【００５５】
この出力する信号波形には、スイッチング素子４４を動作させる周波数（２０〜４０ＫＨｚ）と制御手段５３から出力されるデータ信号（ｃ）を平滑した電圧の高低に対応してスイッチング素子４４のＯＮ時間とＯＦＦ時間の比率が変更できる信号となっている。
【００５６】
５６は基準発振回路で、基準発振回路５６は、制御手段５３で出力したデータ信号（ｃ）を平滑回路５４によって変換された信号（図５（ｄ）、信号ｇ）とＯＮタイミング検出回路５５から出力された信号波形（図５（ｄ）、信号ｆ）を比較（図５（ｄ））して、スイッチング素子４４のＯＮ時間とＯＦＦ時間（図５（ｅ））を決定し、またそのＯＮとＯＦＦの周期はマグネトロン３１を効率良く発振させるために２０ＫＨｚ〜４０ＫＨｚの高周波としている。
【００５７】
スイッチング素子４４のＯＮ時間とＯＦＦ時間の決定は、平滑回路５４によって平滑した信号の電圧値が高いとスイッチング素子４４のＯＮ時間の比率が小さくなりマグネトロン３１に印加される電圧は低くなり、平滑した信号の電圧値が低いとスイッチング素子４４のＯＮ時間の比率が大きくなりマグネトロン３１に印加される電圧は高くなる。
【００５８】
５７は駆動回路で、基準発振回路５６からの信号でスイッチング素子４４を駆動できる信号に変換するものである。
【００５９】
７７は比較手段で、入力電流検出回路５２が検出電流値に応じて出力した電圧値を基準電圧７４の値と比較して、その比較結果を停止手段７９に出力する。入力電流検出回路５２の出力電圧が基準電圧７４を上回ったら、停止手段７９によりスイッチング素子４４を駆動する駆動回路５７を停止する。
【００６０】
７１は基準電圧切替手段で、基準電圧７４として用意されている複数の基準から一つの基準を、制御手段５３からの信号に基づいて切り替えて選択するものである。
【００６１】
本実施例は、以上の構成からなり、次に動作について説明する。
【００６２】
被調理物を温めるのに、その被調理物（図示無し）を加熱室１７のテーブルプレート２０に載置しドア２を閉める。
【００６３】
ドア２を閉めた後、ドア２に設けられた操作パネル３の表示部５ａを見ながら操作部５ｂで高周波加熱を選択して、加熱強さを示す高周波出力と加熱時間を設定する。もしくは、自動加熱の温めを選択する。
【００６４】
そして、操作部５ｂの加熱開始用スタートボタン（図示せず）を押して加熱を開始する。
【００６５】
以下の説明は、高周波出力を７００Ｗ、加熱時間を１分と入力された場合について説明する。
【００６６】
主制御手段６は、加熱を開始するために、入力された高周波出力が７００Ｗであることを、パワー信号６ａをインバータ基板内の制御手段５３に送って知らせる。
【００６７】
同時に主制御手段６は、回転アンテナ駆動手段２３に信号を送り、回転アンテナ１９を回転させ、冷却手段６２へも信号を送り冷却風の送風を開始する。
【００６８】
制御手段５３はパワー信号６ａを受けて、記憶手段５３ａに記憶してあるデータのうち、電源の周波数に対応した方のデータを呼び出してデータ信号（ｃ）を生成し出力する。なお、電源周波数の検出は製品が電源に接続された時に、接続した交流電源４１の周波数の検出を終了している。
【００６９】
加熱開始直後は、マグネトロン３１のヒータ３１ａは温まっていないので発振も無く電流もさほど流れないが、加熱開始時は、記憶手段５３ａに記憶してあるデータでデータ信号（ｃ）を生成し出力するのでマグネトロン３１には最大出力となる高い電圧が印加され、早期にヒータ３１ａの温度が上昇し始め（電圧の印加した約１秒後）次第に電流が流れ始める。
【００７０】
ヒータ３１ａが温まると急激に電流が流れるので、急激な電流の流れを防止するために、ヒータ３１ａがまだ完全に温まる前に、既にマグネトロン３１に印加する電圧を下げる方向にデータ信号（ｃ）のＯＮ、ＯＦＦする時間のＯＮ時間の比率を下げる必要がある。そこで、電圧を印加した後から入力電流検出回路５２で回路に流れる電流を検出し続け、検出値が電流換算で３Ａ以下の間は、加熱開始後に出力したデータ信号（ｃ）のＯＮ、ＯＦＦする時間の比率を変更しないで、３Ａ以上が一定時間以上継続したらデータ信号のＯＮ、ＯＦＦする時間のＯＮ時間の比率を下げてマグネトロン３１に印加する電圧の上昇率を低下させる。
【００７１】
その後、必要とする高周波出力７００Ｗに見合った電流値が得られるように、データ信号（ｃ）のＯＮ時間とＯＦＦ時間の比率を変更する。ただし、目標の電流値に対して、差が大きいときは変更幅を多く、差が小さくなると変更幅も小さくしている。さらに、目標値に対して電流を増加させるときと減少させるときでは、減少させるときのマグネトロン３１の発振する高周波出力の変化が鈍いので減少させるときは変更幅を大きくした方が良い。
【００７２】
被調理物の加熱は前記動作を繰り返すことで安定して加熱が行われ、加熱時間の１分が経過すると、主制御手段６より制御手段５３と各負荷に停止命令がでて、加熱を終了する合図と共に加熱を終了する。
【００７３】
加熱開始直後、つまり、マグネトロン３１に電力の供給を始めた起動時では、マグネトロン３１のヒータ３１ａが温まっていない状態であり、マグネトロン３１には高い電圧(約７０００Ｖ)が印加(図６(a)正常発振時の電圧)される。その後、ヒータ３１ａが温まると、マグネトロン３１は起動時から移行期間を経て通常時に移行して、安定的に電流が流れるとともに電圧は通常電圧(約４０００Ｖ)に下がる。
【００７４】
そして、特に起動時は高い電圧(約７０００Ｖ)が印加されているので、マグネトロンの状態等処々の条件により稀にアノードとカソードがショートするＡＫタッチ現象が発生すると、図６(b)に示すような、ＡＫタッチ発生を示す電圧が発生する。
【００７５】
図７にマグネトロン発振開始時の一次電流の波形を示す（また、起動時にＡＫタッチが発生した状況を波形を示す）。
【００７６】
ＡＫタッチが発生すると、図に示すようなＡＫタッチの発生を示す電流が流れる。また、このＡＫタッチの電流は、マグネトロン３１の起動時と通常時とで異なるため、比較手段７７の判断する基準電圧７４を起動時と通常時とで切替える必要がある。そのため、基準電圧は起動時の比較判断に使用される異常検出しきい値（ａ）と通常時の比較判断に使用される異常検出しきい値（ｂ）の二種類を基準電圧切替手段７1によって切替える。
【００７７】
この基準電圧切替手段７1によって、この異常検出しきい値（ａ）と異常検出しきい値（ｂ）とを切替えるタイミングについて以下説明する。
【００７８】
切替えは、マグネトロン３１が発振開始して起動時から通常時に移行する移行期間の一次電流の変化を捉えるもので、起動時から通常時へと移行する移行期間の一次電流が増加して、起動しきい値に達した後、起動しきい値以上の大きな電流が一定時間（起動検出期間）以上流れ続けた場合に、マグネトロン３１の状態が起動時から通常時に移行したと判断して、制御手段５３は、基準電圧切替手段７1によって、異常検出しきい値（ａ）から異常検出しきい値（ｂ）に切替えるものである。
【００７９】
そのため、異常検出しきい値（ａ）と異常検出しきい値（ｂ）は、マグネトロン３１が発振開始して起動時から通常時へと移行を検出する起動しきい値より大きく、また、起動検出期間であるマグネトロン３１が発振開始して起動時から通常時へと移行出来たと判断する間に流れる一次電流値より大きな値を選定している。
【００８０】
結果、マグネトロン３１が発振開始して起動時や通常時に、稀に発生するＡＫタッチ現象を一次電流を監視することで確実検出して、マグネトロン３１の動作を止めることができる。
【００８１】
以上のことから、本実施例によれば、高圧トランスの２次側の電流を監視することなく、マグネトロンでＡＫタッチ(管内放電)が発生したとき、確実にマグネトロンの発振を停止することができ、さらに高電圧が印可される２次側に電流検出部を設けないのでインバータ回路を載せる基板も必要以上に大きくなることは無い。
【符号の説明】
【００８２】
３０    マグネトロン駆動用電源
３１    マグネトロン
４４    スイッチング素子
４８    インバータ回路
５０    制御回路
５１    電源同期タイミング検出回路
５２    入力電流検出回路
５３    制御手段
５３ａ  記憶手段
７１    基準電圧切替手段
７４    基準電圧
７８    比較手段
【図１】
2014182904.tif 000003
【図２】
2014182904.tif 000004
【図３】
2014182904.tif 000005
【図４】
2014182904.tif 000006
【図５】
2014182904.tif 000007
【図６】
2014182904.tif 000008
【図７】
2014182904.tif 000009